(57)【特許請求の範囲】
【請求項１】
室外機の腐食環境を評価する腐食環境評価装置において、
前記室外機の外部に配置された筐体と、
前記筐体に収容され、前記室外機の腐食の進行を評価する評価部材と、
前記筐体に収容され、前記室外機が設置される環境における環境因子を測定する測定器とを備える
ことを特徴とする腐食環境評価装置。
【請求項２】
前記筐体は、格子状のかご形状で構成されている
請求項１に記載の腐食環境評価装置。
【請求項３】
前記評価部材は、前記室外機を構成する部品と同一の材料を用いて構成されている
請求項１又は２に記載の腐食環境評価装置。
【請求項４】
前記測定器は、温度、湿度、腐食性ガス濃度、又は、飛来物量のうち少なくとも一つを測定する機器である
請求項１〜３のいずれか１項に記載の腐食環境評価装置。
【請求項５】
前記筐体は、内部を仕切る仕切板を備える
請求項１〜４のいずれか１項に記載の腐食環境評価装置。
【請求項６】
前記仕切板により仕切られた前記筐体の一方に、前記評価部材及び前記測定器の内のいずれか一方が配置されている
請求項５に記載の腐食環境評価装置。
【請求項７】
前記筐体は、前記室外機の風路上に配置されている
請求項１〜５のいずれか１項に記載の腐食環境評価装置。
【請求項８】
前記筐体は、
開口を有し、前記評価部材及び前記測定器が配置されるかごと、
第１取付部を有し、前記第１取付部により前記かごの前記開口に取り付けられたふたと、
により構成されている
請求項１〜７のいずれか１項に記載の腐食環境評価装置。
【請求項９】
前記かごには、第２取付部が形成されており、
前記第２取付部により、前記筐体が前記室外機に取り付けられている
請求項８に記載の腐食環境評価装置。
【請求項１０】
室外機の腐食環境を評価する腐食環境評価方法において、
前記室外機の腐食の進行を評価するための評価部材を準備する評価部材準備工程と、
前記室外機が設置される環境における環境因子を測定する測定器を準備する測定器準備工程と、
準備した前記評価部材及び準備した前記測定器を収容する筐体を前記室外機の外部に配置する配置工程とを備える
ことを特徴とする腐食環境評価方法。
【請求項１１】
前記配置工程において、
前記評価部材と、前記測定器とを収容するための格子状のかご形状の前記筐体を配置する
請求項１０に記載の腐食環境評価方法。
【請求項１２】
前記評価部材準備工程において、
前記室外機に含まれる部品と同一の材料を用いて構成された前記評価部材を準備する
請求項１０又は１１に記載の腐食環境評価方法。
【請求項１３】
前記配置工程は、前記筐体を前記室外機の外部に取り付ける取付工程を備える
請求項１０〜１２のいずれか１項に記載の腐食環境評価方法。
【請求項１４】
前記配置工程は、
内部が仕切り板により仕切られた前記筐体を準備し、
前記評価部材及び前記測定器の内の一方を、前記仕切り板により仕切られた前記筐体の一方に配置し、
前記評価部材及び前記測定器の内の他方を、前記仕切り板により仕切られた前記筐体の他方に設置する工程を含む
請求項１０〜１３のいずれか１項に記載の腐食環境評価方法。
【請求項１５】
前記配置工程は、前記筐体を前記室外機の風路上に配置することを含む
請求項１０〜１４のいずれか１項に記載の腐食環境評価方法。
【発明の詳細な説明】
【技術分野】
【０００１】
本開示は、室外機における腐食の状況を評価する腐食環境評価装置及び腐食環境評価方法に関する。
【背景技術】
【０００２】
大気環境における空調機の室外機の腐食劣化を評価する技術として、例えば、特許文献１では、耐食性評価用の金属試料を、室外機が備える熱交換器に取り付け、暴露試験によって金属の腐食を評価する方法が提案されている。
【先行技術文献】
【特許文献】
【０００３】
【特許文献１】特願２０１５−５４４７０６号公報
【発明の概要】
【発明が解決しようとする課題】
【０００４】
大気環境における腐食反応は、金属材料と周辺環境との相互作用によって生じる。そのため、大気環境における空調機の耐食性を評価する上では、金属の腐食評価と、空調機が設置される環境の評価との両方を実施することが重要である。それぞれの評価を実施し、金属の腐食と環境との相関関係を得ることで、腐食の原因を明らかにし、対策を講じることができる。【０００５】
特許文献１に示した方法は、金属の腐食評価を対象とし、温湿度計又はガス検知器を用いた周囲の環境測定は実施していない。その原因は、特許文献１に示した方法では、試料を空調機内部の金属部材である熱交換器に直接取り付けることを前提としていることにある。【０００６】
空調機などに用いられる室外機では、内部が狭隘であり、温湿度計、又は、ガス検知器に代表されるような環境測定機器を取り付ける空間の確保が難しいといった問題がある。そのため、種々の腐食評価部材と環境測定機器とを、室外機の内部に簡易的に取り付け、金属材料の腐食評価と環境評価とを同時に実施することができない。【０００７】
本開示は、上記課題を解決するためになされたものであり、高精度な腐食診断を実施できる腐食環境評価装置及び腐食環境評価方法を提供することを目的とする。
【課題を解決するための手段】
【０００８】
本開示に係る腐食環境評価装置は、室外機の腐食環境を評価する腐食環境評価装置において、前記室外機の外部に配置された筐体と、前記筐体に収容され、前記室外機の腐食の進行を評価する評価部材と、前記筐体に収容され、前記室外機が設置される環境における環境因子を測定する測定器とを備えることを特徴とするものである。
【０００９】
また、本開示に係る腐食環境評価方法は、室外機の腐食環境を評価する腐食環境評価方法において、前記室外機の腐食の進行を評価するための評価部材を準備する評価部材準備工程と、前記室外機が設置される環境における環境因子を測定する測定器を準備する測定器準備工程と、準備した前記評価部材及び準備した前記測定器を収容する筐体を前記室外機の外部に配置する配置工程とを備えることを特徴とするものである。
【発明の効果】
【００１０】
本開示に係る腐食環境評価装置及び腐食環境評価方法によれば、腐食の進行度合いと、環境因子との相関性を得ることができるため、腐食原因が明らかになり高精度な腐食診断を実施できる。
【図面の簡単な説明】
【００１１】
【図１】実施の形態１に係る室外機を有する空気調和機を示す回路図である。
【図２】実施の形態１に係る腐食環境評価方法の工程を示すフローチャートである。
【図３】実施の形態１に係る腐食環境評価装置の概略模式図である。
【図４】実施の形態１に係る腐食環境評価装置のかごの概略模式図である。
【図５】実施の形態１に係る腐食環境評価装置のふたの概略模式図である。
【図６】実施の形態１に係る仕切板を備えた筐体の概略模式図である。
【図７】腐食環境評価装置が室外機の前面に取り付けられた構成を示す模式図である。
【図８】実施の形態１の変形例に係る腐食環境評価装置の概略模式図である。
【図９】実施の形態２に係る腐食環境評価装置の設置態様を説明する概略図である。
【図１０】実施の形態３に係る腐食環境評価装置の概略模式図である。
【発明を実施するための形態】
【００１２】
実施の形態１．
以下、本実施の形態１に係る腐食環境評価装置及び腐食環境評価方法について説明する。なお、以下の図面では各構成部材の大きさの関係が実際のものとは異なる場合がある。また、以下の図面において、同一の符号を付したものは、一又はこれに相当するものであり、このことは明細書の全文において共通することとする。更に、明細書全文に表わされている構成要素の形態は、あくまでも例示であって、これらの記載に限定されるものではない。
【００１３】
本実施の形態１に係る腐食環境評価装置は、空気調和機Ａを構成する室外機１００に取り付けられるものである。以下に空気調和機Ａの概要を説明する。
【００１４】
＜空気調和機の構成＞
図１は、実施の形態１に係る室外機１００を有する空気調和機Ａを示す回路図である。図１に示すように、空気調和機Ａは、室内空間の空気を調整する装置であり、室外機１００と、室外機１００と冷媒配管１０５によって接続される室内機１０３とを備えている。室外機１００には、圧縮機１０６、流路切替装置１０７、室外熱交換器１０８、室外送風機１０９及び膨張部１１０が設けられている。室内機１０３には、室内熱交換器１１１及び室内送風機１１２が設けられている。
【００１５】
圧縮機１０６、流路切替装置１０７、室外熱交換器１０８、膨張部１１０及び室内熱交換器１１１が冷媒配管１０５により接続されて、作動ガスである冷媒が流れる冷媒回路１０４が構成されている。圧縮機１０６は、低温且つ低圧の状態の冷媒を吸入し、吸入した冷媒を圧縮して高温且つ高圧の状態の冷媒にして吐出するものである。流路切替装置１０７は、冷媒回路１０４において冷媒が流れる方向を切り替えるものであり、例えば四方弁である。室外熱交換器１０８は、例えば室外空気と冷媒との間で熱交換するものである。室外熱交換器１０８は、冷房運転時には凝縮器として作用し、暖房運転時には蒸発器として作用する。
【００１６】
室外送風機１０９は、室外熱交換器１０８に室外空気を送る機器である。膨張部１１０は、冷媒を減圧して膨張する減圧弁又は膨張弁である。膨張部１１０は、例えば開度が調整される電子式膨張弁である。室内熱交換器１１１は、例えば室内空気と冷媒との間で熱交換するものである。室内熱交換器１１１は、冷房運転時には蒸発器として作用し、暖房運転時には凝縮器として作用する。室内送風機１１２は、室内熱交換器１１１に室内空気を送る機器である。
【００１７】
（運転モード、冷房運転）
次に、空気調和機Ａの運転モードについて説明する。先ず、冷房運転について説明する。冷房運転において、圧縮機１０６に吸入された冷媒は、圧縮機１０６によって圧縮されて高温且つ高圧のガス状態で吐出する。圧縮機１０６から吐出された高温且つ高圧のガス状態の冷媒は、流路切替装置１０７を通過して、凝縮器として作用する室外熱交換器１０８に流入し、室外熱交換器１０８において、室外送風機１０９によって送られる室外空気と熱交換されて凝縮して液化する。凝縮された液状態の冷媒は、膨張部１１０に流入し、膨張部１１０において膨張及び減圧されて低温且つ低圧の気液二相状態の冷媒となる。そして、気液二相状態の冷媒は、蒸発器として作用する室内熱交換器１１１に流入し、室内熱交換器１１１において、室内送風機１１２によって送られる室内空気と熱交換されて蒸発してガス化する。このとき、室内空気が冷やされ、室内において冷房が実施される。蒸発した低温且つ低圧のガス状態の冷媒は、流路切替装置１０７を通過して、圧縮機１０６に吸入される。
【００１８】
（運転モード、暖房運転）
次に、暖房運転について説明する。暖房運転において、圧縮機１０６に吸入された冷媒は、圧縮機１０６によって圧縮されて高温且つ高圧のガス状態で吐出する。圧縮機１０６から吐出された高温且つ高圧のガス状態の冷媒は、流路切替装置１０７を通過して、凝縮器として作用する室内熱交換器１１１に流入し、室内熱交換器１１１において、室内送風機１１２によって送られる室内空気と熱交換されて凝縮して液化する。このとき、室内空気が暖められ、室内において暖房が実施される。凝縮された液状態の冷媒は、膨張部１１０に流入し、膨張部１１０において膨張及び減圧されて低温且つ低圧の気液二相状態の冷媒となる。そして、気液二相状態の冷媒は、蒸発器として作用する室外熱交換器１０８に流入し、室外熱交換器１０８において、室外送風機１０９によって送られる室外空気と熱交換されて蒸発してガス化する。蒸発した低温且つ低圧のガス状態の冷媒は、流路切替装置１０７を通過して、圧縮機１０６に吸入される。
【００１９】
空気調和機Ａを構成する室外機１００は、種々の金属部材によって構成されている。例えば、室外機１００の構成部品を収容している本体及び圧縮機１０６には鋼板が用いられており、室外熱交換器１０８及び冷媒配管１０５にはアルミニウム又は銅が用いられている。室外機１００は、概して風雨又は外気に曝される屋外環境下に設置される製品であるため、金属材料の腐食が進行しやすい。特に室外熱交換器１０８の冷媒配管１０５において腐食が進行すると、冷媒配管１０５に穴あきが発生し、冷媒漏れなどの重大な不具合に繋がる可能性がある。そのため、腐食環境を評価し、室外機１００の適切な耐食性を確保することが重要である。腐食環境評価方法は、室外機１００の周囲に配置した腐食環境評価装置５０を用いて、室外機１００における腐食の原因を明らかにするものである。
【００２０】
＜腐食環境評価方法＞
図２は、実施の形態１に係る腐食環境評価方法の工程を示すフローチャートである。図２に示すように、腐食環境評価方法は、ステップＳ０１〜Ｓ０５の工程を含む。ステップＳ０１は、腐食環境評価装置５０を作製する工程である。ステップＳ０２は、腐食環境評価装置５０を室外機１００へ取り付ける工程である。ステップＳ０３は、腐食環境評価装置５０により暴露試験を実施する工程である。ステップＳ０４は、所定の期間後に腐食環境評価装置５０を回収する工程である。ステップＳ０５は、回収した腐食環境評価装置５０により腐食量及び腐食環境を評価する工程である。
【００２１】
＜ステップＳ０１：腐食環境評価装置５０を作製する工程＞
ステップＳ０１では、評価部材１と測定器２とが筐体３内に配置され、腐食環境評価装置５０が作製される。ステップＳ０１の腐食環境評価装置５０を作製する工程は、評価部材１を準備する評価部材準備工程と、測定器２を準備する測定器準備工程と、を含む。
【００２２】
図３は、実施の形態１に係る腐食環境評価装置５０の概略模式図である。図３に示すように、腐食環境評価装置５０は、筐体３と、腐食の進行を評価するための評価部材１と、室外機１００が配置される環境における環境因子を測定する測定器２とにより構成されている。
【００２３】
評価部材準備工程において準備される評価部材１は、室外機１００を構成する部材であって、腐食が懸念される部材により作成される。評価部材１は、室外機１００において腐食が懸念される、鋼、銅、又は、アルミニウムなどの金属部材である。評価部材１は、室外機１００の構成部材を切断加工し、縮小化した形態で用いられる。これにより、室外機１００の製品状態での腐食を再現することができる。評価部材１として用いる構成部材の種類及びサンプル数は限定されない。
【００２４】
測定器準備工程において準備される測定器２は、室外機１００の周辺の大気環境の有害度を示す環境因子を測定する機器である。測定器２は、例えば、温度計、相対湿度計、各種の腐食性ガス測定手段、飛来物捕集手段、センサ、対象物捕集用のろ紙、及び、対象物捕集用のガーゼである。測定器２により得られた各種環境因子の情報に基づき腐食環境評価装置５０が曝される大気環境の、温度、湿度、腐食性ガス濃度、及び、飛来物量などが測定される。測定器２の種類及び数は限定されない。
【００２５】
＜筐体３の構成＞
図４は、実施の形態１に係る腐食環境評価装置５０のかご４の概略模式図である。図５は、実施の形態１に係る腐食環境評価装置５０のふた５の概略模式図である。腐食環境評価装置５０において、評価部材１と測定器２とが収容される筐体３は、かご４と、ふた５と、により構成されている。
【００２６】
図４に示すように、かご４は、直方体形状の箱体であり、直方体の六面のうちの一面が開口４ａになっている。かご４は、例えば、樹脂被覆を施した金属製の線材が格子状に配置されて構成されている。
【００２７】
図５に示すように、ふた５は、かご４と同様、格子状である。ふた５は、かご４の開口４ａに取り付けられる。ふた５は、かご４と同様、金属製の線材などである。ふた５を構成する線材は、かご４の線材と同じ材料を用いればよい。ふた５には、第１取付部６が設けられている。第１取付部６は、例えば、ふた５を構成する線材の一部が、ふた５から上方に延びた部分である。第１取付部６は、先端が折り返されたフック形状を有する。ふた５は、第１取付部６がかご４の線材に引っかけられることでかご４に取り付けられる。ふた５は、第１取付部６を中心に、かご４に対して回動可能である。
【００２８】
筐体３は、かご４にふた５が取り付けられて形成される。筐体３の内部には、評価部材１及び測定器２が収容される。評価部材１及び測定器２は、例えば、耐候性を有する結束バンド、又は、粘着テープによりかご４に固定される。結束バンド、及び、粘着テープは、図示を省略している。
【００２９】
筐体３において、略直方体の格子状のかご４の開口４ａにふた５が取り付けられていることで、かご４を開閉することが可能である。ふた５によりかご４の開口４ａを開閉可能にすることで、筐体３が室外機１００に取り付けられた状態であっても、筐体３の内部へ評価部材１及び測定器２を設置する作業が容易になり、筐体３から評価部材１及び測定器２を回収することも可能になる。
【００３０】
筐体３は、格子状のかご４及び格子状のふた５により構成されていることで、格子状の空間を空気が通り、腐食環境評価装置５０３周辺の大気が筐体３を通過することが可能である。筐体３を格子状のかご４及び格子状のふた５により構成し、大気を通過可能とすることで、腐食環境評価装置５０周辺の環境と、筐体３内部の環境とが同一となる。また、格子状のかご４及びふた５により構成された筐体３を大気が通過することで、筐体３を通過した腐食環境評価装置５０３周辺の大気が腐食環境評価装置５０に与える風雨の影響、温湿度、及び、飛来物の影響などを正確に評価することができる。
【００３１】
格子状のかご４及び格子状のふた５に用いられる線材は、腐食環境評価装置５０が設置される後述の室外機１００のファンガード１０と同材料であることが好ましい。これにより、室外機１００の構成以外の材料による腐食環境評価装置５０へのコンタミネーションを防ぐことができる。また、かご４及びふた５に用いられる線材を室外機１００のファンガード１０と同材料とすることで、かご４及びふた５の外観が室外機１００の外観と統一され、室外機１００の美観を担保することができる。
【００３２】
＜仕切り板の構成＞
図６は、実施の形態１に係る仕切板８を備えた筐体３の概略模式図である。図６に示すように、かご４には、筐体３の内部を分割する仕切板８を取り付けることができる。図６の例では、仕切板８により筐体３が上下に仕切られており、測定器２が評価部材１の上方に配置されている。
【００３３】
評価部材１の構成部品において腐食が進行すると、評価部材１から金属イオンが溶出し、又は、評価部材１による腐食生成物の生成反応が起きる。金属イオン又は腐食生成物は、雨水などを媒介して、他の構成部品と干渉する可能性がある。測定器２を評価部材１の上方に配置することで、評価部材１で生じた金属イオン又は腐食生成物が雨水となって測定器２上に落下することがないため、他の構成部品からのコンタミネーションの影響を受けやすい測定器２を保護することができる。
【００３４】
＜ステップＳ０２：腐食環境評価装置の配置＞
ステップＳ０２は、ステップＳ０１において評価部材１及び測定器２を筐体３で囲って作製された腐食環境評価装置５０を、室外機１００に配置する配置工程である。ステップＳ０２の配置工程において、腐食環境評価装置５０は、室外機１００の周辺に配置される。ステップＳ０２の配置工程は、腐食環境評価装置５０の筐体３を室外機１００の外部に取り付ける取付工程を含む。
【００３５】
腐食環境評価装置５０は、室外送風機１０９が回転し空気が流れることで形成される風路に設けられているとよい。腐食環境評価装置５０が室外送風機１０９の風路に設置されることにより、室外機１００内の空気が腐食環境評価装置５０内を通過し、室外機１００内の部材が曝される温度、湿度環境及び飛来物を、より高精度に再現することができる。
【００３６】
図７は、腐食環境評価装置５０が室外機１００の前面に取り付けられた構成を示す模式図である。図７に示すように、腐食環境評価装置５０は、例えば、室外機１００の前面の開口１００ａを覆うファンガード１０に取り付けることができる。
【００３７】
室外機１００の前面の開口１００ａは、室外機１００に収容された室外送風機１０９により吹出される空気が排出される開口である。ファンガード１０は、網目状の部品である。ファンガード１０は、室外機１００の外部の異物が室外機１００の開口１００ａを通り、室外機１００の内部に収容された室外送風機１０９に接触することを防ぐために設けられている。ファンガード１０の網目部分に、腐食環境評価装置５０の筐体３を取り付けることで、腐食環境評価装置５０を室外送風機１０９の風路上に配置することが可能になる。筐体３は、例えば、耐候性結束バンドを用いてファンガード１０に固定されている。
【００３８】
評価部材１が複数種類の評価部材１を含む場合、複数種類の評価部材１は、室外送風機１０９の風路に沿った方向に直交する面に沿って配置されているとよい。測定器２が複数種類の測定器２を含む場合にも同様に、複数種類の測定器２が室外送風機１０９の風路に沿った方向に直交する面に沿って配置されているとよい。これにより、室外送風機１０９から吹き出される空気の流れが、複数種類の評価部材１のそれぞれ、及び、複数種類の測定器２のそれぞれに与える影響を一様にすることができる。
【００３９】
＜ステップＳ０３：腐食環境評価装置５０の暴露試験＞
ステップＳ０３は、腐食環境評価装置５０による暴露試験を実施する工程である。暴露試験では、室外機１００が設置される地域の腐食環境を評価する。暴露試験の期間は、室外機１００が設置される地域における恒常的な腐食環境の評価を可能とするため、一ヶ月以上であることが好ましい。
【００４０】
適切な試験期間が評価部材１の種類又は内容物により異なる場合には、それぞれに適切な期間で暴露試験を実施しても良い。同様に、適切な試験期間が測定器２の種類又は測定対象により異なる場合には、それぞれに適切な期間で暴露試験を実施しても良い。暴露試験は、例えば、「ＪＩＳ  Ｚ  ２３８１：２００１大気暴露試験方法通則」に基づき実施される。
【００４１】
＜ステップＳ０４：腐食環境評価装置５０の回収＞
ステップＳ０４は、腐食環境評価装置５０を回収する工程である。腐食環境評価装置５０は、所定の期間の暴露試験実施後に、室外機１００から取り外され、回収される。
【００４２】
評価部材１が複数種類の評価部材１を含む場合であって、評価部材１の種類により適切な暴露試験期間が異なる場合には、筐体３のふた５を開き、筐体３から段階的に評価部材１を回収することができる。同様に、測定器２が複数種類の測定器２を含む場合であって、測定器２の種類又は測定対象により適切な暴露試験期間が異なる場合には、筐体３のふた５を開き、筐体３から段階的に測定器２を回収することができる。腐食環境評価装置５０の筐体３は、評価部材１及び測定器２が段階的に回収される場合、室外機１００から取り外されない。
【００４３】
回収した評価部材１及び測定器２は、封止機能付きのチャック袋に収容し、評価部材１及び測定器２が外気環境から遮断された状態で運搬されることが好ましい。評価部材１及び測定器２を外気環境から遮断することで、運搬中のコンタミネーション及び腐食反応の進行を防ぐことができる。
【００４４】
＜ステップＳ０５：腐食環境評価装置５０による評価＞
ステップＳ０５は、回収した腐食環境評価装置５０の評価部材１及び測定器２を評価する工程である。
【００４５】
評価部材１の評価手法としては、目視による腐食観察の他、腐食の減量の重量測定、断面の腐食深さの計測、又は、３次元Ｘ線顕微鏡による腐食体積の測定などの方法がある。測定器２は、吸光分光測定、Ｘ線蛍光分析、イオンクロマトグラフィー、又は、誘導結合プラズマ質量分析計などの種々の分析手法によって、設置地域の大気環境の有害度の評価に用いられる。
【００４６】
そして、ステップＳ０５において、評価部材１から得た腐食の進行度合いを示す腐食データと、測定器２から得た室外機１００が設置された環境における環境因子を示す大気環境データとから、相関分析が実施される。これにより、腐食環境評価における評価対象の室外機１００の潜在的な腐食リスク、及び、その原因となる環境因子を導出することが可能になる。
【００４７】
以上説明した実施の形態１に係る腐食環境評価装置５０によれば、筐体３が室外機１００の外部に配置され、評価部材１、及び、測定器２が収容されている。これにより、評価部材１により評価された腐食の状況と、測定器２により測定された環境因子との相関性に基づき室外機１００における腐食を診断することができる。そのため、室外機１００における腐食診断を高精度に行うことができる。
【００４８】
また、筐体３は、格子状のかご形状であるため、室外機１００周辺の大気の通過が可能になる。筐体３が格子状のかご形状であることで、腐食環境評価装置５０の周辺環境と筐体３内部の環境とが同一となり、風雨、温湿度、又は、飛来物の影響をより正確に評価することができる。
【００４９】
また、評価部材１は、室外機１００に含まれる構成部品と同一の材料を用いているため、室外機１００の実機と同様の状態で、構成部品の腐食を再現することができる。
【００５０】
また、測定器２は、温度、湿度、腐食性ガス濃度、又は、飛来物量の少なくとも一つを測定する機器であり、腐食環境評価装置５０が曝される大気環境の有害度を測定できる。
【００５１】
また、筐体３は、仕切板８により内部が上下に仕切られている。そして、仕切板８の上方に測定器２が配置され、下方に評価部材１が配置されている。この構成により、評価部材１が腐食して溶出した金属イオン、又は、生成された腐食生成物が重力により流下しても、コンタミネーションの影響を受けやすい測定器２を保護することができる。
【００５２】
また、筐体３は、室外機１００の風路上に配置されているため、室外機１００の構成部材が曝される温度、湿度環境、又は、飛来物を、より高精度に再現することができる。
【００５３】
また、筐体３は、開口４ａを有するかご４と、第１取付部６によりかご４の開口４ａに取り付けられたふた５とにより構成されている。このため、腐食環境評価装置５０が室外機１００に取り付けた状態であっても、筐体３の内部の評価部材１の設置及び回収、及び、測定器２の設置及び回収が可能になる。
【００５４】
また、実施の形態１に係る腐食環境評価方法は、腐食状況を評価する評価部材１と、環境因子を測定する測定器２とを準備し、筐体３で囲って室外機１００の外部に配置する工程を備える。これにより、金属の腐食と設置環境の相関性に基づく腐食状況の評価が可能となり、より高精度な腐食診断を実施できる。
【００５５】
＜腐食環境評価装置５０の変形例＞
図８は、実施の形態１の変形例に係る腐食環境評価装置５０の概略模式図である。図８に示すように、変形例に係る腐食環境評価装置５０は、筐体３を構成するかご４に、固定補助用の第２取付部７を備える。腐食環境評価装置５０は、耐候性結束バンドに替えて、固定補助用の第２取付部７により室外機１００に固定されている。
【００５６】
第２取付部７は、例えば、かご４を構成する線材の一部が、かご４から上方に延びた部分である。第２取付部７は、先端が折り返されたフック形状を有する。筐体３は、第２取付部７がファンガード１０の網目部分に引っかけられることで室外機１００に取り付けられる。第２取付部７により、腐食環境評価装置５０の室外機１００への取り付けが容易になる。
【００５７】
以上説明した実施の形態１の変形例に係る腐食環境評価装置５０によれば、かご４に第２取付部７が形成されているため、腐食環境評価装置５０を室外機１００に取り付けることが容易になる。
【００５８】
実施の形態２．
＜腐食環境評価装置５０の配置態様＞
図９は、実施の形態２に係る腐食環境評価装置５０の設置態様を説明する概略図である。図９に示すように、実施の形態２に係る腐食環境評価装置５０は、腐食環境評価方法におけるステップＳ０２において、室外機１００へ取り付けるのではなく、室外機１００の周辺に配置される。
【００５９】
腐食環境評価装置５０は、例えば、室外機１００の前方に設置された土台１１の上部に取り付けることができる。腐食環境評価装置５０は、土台１１に取り付けられた場合も、室外送風機１０９の吹き出し口の前方に配置するとよい。これにより、腐食環境評価装置５０を室外送風機１０９の風路に設置することが可能になる。また、腐食環境評価装置５０に室外送風機１０９からの空気流の影響を与えるために、腐食環境評価装置５０は、室外機１００から２ｍ以内に配置されることが好ましい。
【００６０】
腐食環境評価装置５０を土台１１の上部に取り付けることで、腐食環境評価装置５０に収容された評価部材１及び測定器２が、室外機１００の室外送風機１０９と平行な高さに配置される。これにより、腐食環境評価装置５０に室外送風機１０９からの空気流の影響が及ぶこととなる。このように、腐食環境評価装置５０が室外機１００の前方に設置されることで、室外機１００のファンガード１０が網目構造を有さない場合にも、腐食環境評価装置５０による腐食評価が可能となる。また、室外機１００は、種類によってファンガード１０を有さない構造が採用されている場合があるが、室外機１００がファンガード１０を有さない場合にも、腐食環境評価装置５０による腐食評価が可能となる。
【００６１】
実施の形態３．
＜腐食環境評価装置５０の分割使用＞
図１０は、実施の形態３に係る腐食環境評価装置５０の概略模式図である。図１０に示すように、実施の形態３に係る腐食環境評価装置５０は、筐体３が複数に分割されている。
【００６２】
筐体３は、例えば、第１筐体３ａと、第２筐体３ｂとを有する。第１筐体３ａには、例えば、評価部材１が収容されている。第２筐体３ｂには、例えば、測定器２が収容されている。第１筐体３ａ及び第２筐体３ｂは、例えば、室外機１００の前面に取り付けられている。第１筐体３ａ及び第２筐体３ｂは、例えば、第２筐体３ｂが第１筐体３ａの上方となるように配置されている。
【００６３】
このように、腐食環境評価装置５０は、評価部材１と測定器２とを、個別の筐体３に収容した状態で使用することで、回収容易性の向上を達成することができる。また、腐食環境評価装置５０は、複数の評価部材１を、複数の筐体３に分割して収容した状態で使用することで、評価部材１間の干渉を防止することができる。第１筐体３ａ及び第２筐体３ｂへの内容物の振り分けは、回収容易性の向上のため、対象部材の回収期間によって区分することができる。また、複数の筐体３の線材に用いる樹脂の色を複数の筐体３ごとに変化させ、回収時期を明示化することもできる。
【符号の説明】
【００６４】
１  評価部材、２  測定器、３  筐体、３ａ  第１筐体、３ｂ  第２筐体、４  かご、４ａ  開口、６  第１取付部、７  第２取付部、８  仕切板、１０  ファンガード、１１  土台、５０  腐食環境評価装置、１００  室外機、１００ａ  開口、１０３  室内機、１０４  冷媒回路、１０５  冷媒配管、１０６  圧縮機、１０７  流路切替装置、１０８  室外熱交換器、１０９  室外送風機、１１０  膨張部、１１１  室内熱交換器、１１２  室内送風機、Ａ  空気調和機。
【要約】
室外機における腐食の状況を評価する腐食環境評価装置及び腐食環境評価方法。腐食環境評価装置は、室外機の外部に配置された筐体と、筐体に収容され、室外機の腐食の進行を評価する評価部材と、筐体に収容され、室外機が設置される環境における環境因子を測定する測定器と、を備えている。【図１】
0006910573.tif 000002
【図２】
0006910573.tif 000003
【図３】
0006910573.tif 000004
【図４】
0006910573.tif 000005
【図５】
0006910573.tif 000006
【図６】
0006910573.tif 000007
【図７】
0006910573.tif 000008
【図８】
0006910573.tif 000009
【図９】
0006910573.tif 000010
【図１０】
0006910573.tif 000011